(57)【要約】      （修正有）【課題】ヘルメットに装着して、ヘルメットの全方向に光反射特性が得られ、光反射による視認の安全性が特段に優れており、製造が容易で低コストな、工事現場、交通整理員、自転車やバイクなどの運転者用ヘルメットのヘルメットカバーを提供する。【解決手段】ヘルメット１０を被覆するように略半球状に縫製され、開口部に沿って伸縮性紐が挿入された拡縮部２が形成されたヘルメットカバー１において、カバー全体の生地を光反射性の非伸縮性シートにより形成した。【選択図】図１
0003177265.tif 000002
【実用新案登録請求の範囲】
【請求項１】
ヘルメットを被覆するように略半球状に縫製され、開口部に沿って伸縮性紐が挿入された拡縮部が形成されたヘルメットカバーにおいて、
カバー全体の生地が光反射性の非伸縮性シートにより形成されていることを特徴とするヘルメットカバー。
【請求項２】
前記シートの少なくとも表面に、光の全面反射層が形成されていることを特徴とする請求項１に記載のヘルメットカバー。
【請求項３】
前記シートは、合成樹脂繊維による基布の表面に、光の乱反射による全面反射層が形成されていることを特徴とする請求項１又は２に記載のヘルメットカバー。
【請求項４】
前記シートは、合成樹脂繊維による基布の表面に、光の再帰性反射による全面反射層が形成されていることを特徴とする請求項１又は２に記載のヘルメットカバー。
【請求項５】
前記全面反射層は、微細なガラスビーズによるビーズ層により形成されていることを特徴とする請求項２に記載のヘルメットカバー。
【請求項６】
前記全面反射層は、プリズム式反射素材により形成されていることを特徴とする請求項２に記載のヘルメットカバー。
【請求項７】
前記全面反射層は、反射糸により形成されていることを特徴とする請求項２に記載のヘルメットカバー。
【請求項８】
ヘルメットを被覆するように略半球状に縫製され、開口部が、面ファスナーやクリップによりヘルメットに取り付けられるヘルメットカバーにおいて、
カバー全体の生地が光反射性の非伸縮性シートにより形成されていることを特徴とするヘルメットカバー。
【考案の詳細な説明】
【技術分野】
【０００１】
本考案は、ヘルメットの外壁面に着脱可能に取り付けられるヘルメットカバー、特に、工事現場、交通整理員、自転車やバイクなどの運転者用ヘルメットのヘルメットカバーとして最適のヘルメットカバーに関する。
【背景技術】
【０００２】
ヘルメットの外壁面に、反射材を塗布したり反射テープを貼る付けることにより、ヘルメット装着者の安全性を向上させるようにしたヘルメットが使用されている。
【０００３】
しかしながら、ヘルメットの外壁面に反射材を塗布したり反射テープを貼る付けると、ヘルメットの外面に印刷されたヘルメット使用者の社名や商標を隠すことになり、美観の点でも好ましくない。
【０００４】
また、特許文献１に示されるヘルメット用被覆体は、ヘルメットの外側に、複数のＬＥＤ光発生部と光を周囲に反射する反射部とを設けている。
特許文献１のヘルメット用被覆体は、夜間作業者用のヘルメットとしては安全性の点で優れているが、ヘルメットの外側にＬＥＤ光発生部と反射部とを取り付けなければならず、コストの点で問題がある。
【０００５】
特許文献２には、ヘルメットカバーが伸縮自在の布で構成され、カバーとヘルメットの開口部の対向面に、面ファスナーによる係止部が設けられたヘルメットカバーが示されている。このヘルメットカバーの外面には、反射テープや蛍光塗料などの反射材を備えることができる、との記載がある。
特許文献２のヘルメットカバーは、ヘルメットにも面ファスナーによる係止部を設ける必要があり、製作に手間がかかり着脱作業が面倒である。また、ヘルメットカバーの外面に、反射テープや蛍光塗料を設けるところから製作に手間がかかる。さらに、設けた反射テープや蛍光塗料は、使用により脱落しやすいという難点がある。
【０００６】
特許文献３には、半球状に縫製したヘルメットカバーの表面に、再帰性反射材の広幅テープを設けたヘルメットカバーが示されている。
特許文献３のヘルメットカバーは、ヘルメットカバーの外面に、再帰性反射材の広幅テープを設けるところから製作に手間がかかる。
また、特許文献２及び３による反射テープは、部分的な取り付けであって、角度により視認性が劣るという難点がある。
【先行技術文献】
【特許文献】
【０００７】
【特許文献１】特開２００８−１７４８８６号公報
【特許文献２】特開平１１−３２３６４７号公報
【特許文献３】実開平７−３１８２５号公報
【考案の概要】
【考案が解決しようとする課題】
【０００８】
本考案は、以上の課題を解決するものであり、ヘルメットに装着して、ヘルメットの全方向に光反射特性が得られ、光反射による視認の安全性が特段に優れており、製造が容易で低コストであり、工事現場、交通整理員、自転車やバイクなどの運転者用ヘルメットのヘルメットカバーとして最適のヘルメットカバーを提供することを目的とする。
【課題を解決するための手段】
【０００９】
前記目的を達成するための手段を、図の実施形態を参照して説明する。
【００１０】
請求項１に記載の本考案に係るヘルメットカバー１は、ヘルメット１０を被覆するように略半球状に縫製され、開口部に沿って伸縮性紐が挿入された拡縮部２が形成されたヘルメットカバー１において、カバー全体の生地が光反射性の非伸縮性シート３により形成されていることを特徴とする。
【００１１】
請求項２では、前記シート３の少なくとも表面に、光の全面反射層が形成されていることを特徴とする。
【００１２】
請求項３では、前記シート３は、合成樹脂繊維による基布３ａの表面に、光の乱反射による全面反射層３ｂが形成されていることを特徴とする。
【００１３】
請求項４では、前記シート３は、合成樹脂繊維による基布３ａの表面に、光の再帰性反射による全面反射層３ｂが形成されていることを特徴とする。
【００１４】
請求項５では、前記全面反射層３ｂは、微細なガラスビーズによるビーズ層により形成されていることを特徴とする。
ビーズ層には、表面に球形レンズを構成するビーズの表面が露出するビーズ露出型と、膠着剤内にビーズ封入されたビーズ封入型がある。
ビーズ層は、光の再帰性反射特性を有している。
【００１５】
請求項６では、前記全面反射層３ｂは、プリズム式反射素材により形成されていることを特徴とする。
プリズム式反射素材を構成するマイクロプリズムは、三角の隅以外は再帰反射する。よって、再帰反射有効率が構造的に高い。
【００１６】
請求項７では、前記全面反射層３ｂは、反射糸により形成されていることを特徴とする。
反射糸は、ポリエステルフィルムの上に球状のガラスビーズを敷き詰め、バインダーで付着させた反射フィルムをまず作製し、それを加工して反射糸を作ったものである。
【００１７】
上記本考案のヘルメットカバー１は、ヘルメット１０への装着使用状態において、カバーの全方向に光反射特性がある。
また、カバー全体の生地が光反射性の生地により縫製され、製造容易で低コストである。
さらに、上記本考案のヘルメットカバー１は、カバー開口縁の拡縮部２を拡縮操作するだけの簡単な作業で、ヘルメット１０に被せ、または、ヘルメット１０から取り外すことができる。
【００１８】
請求項８では、ヘルメット１０を被覆するように略半球状に縫製され、開口部が、面ファスナーやクリップによりヘルメットに取り付けられるヘルメットカバー１において、カバー全体の生地が光反射性の非伸縮性シート３により形成されていることを特徴とする。
上記の面ファスナーやクリップは、上記の拡縮部２に付設されていても良いし、拡縮部２に代えて設けても良い。
【考案の効果】
【００１９】
本考案に係るヘルメットカバーは、カバー全体の生地が光反射性の非伸縮性シートにより形成されているところから、ヘルメットへの装着使用状態において、カバーの全方向に光反射特性があり、光反射による視認の安全性が特段に優れている。また、ヘルメットカバーにはクッション性と保護機能があり、安全性が向上する。
【００２０】
また、カバー全体の生地を光反射性の非伸縮性シートにより形成しているところから、カバーの生地の外面に反射テープを設けたり、反射剤を塗布したりする従来のカバーに比較し、製造が容易で低コストであり、耐久性にも優れている。
【００２１】
本考案に係るヘルメットカバーは、カバー開口縁の拡縮部を拡縮操作するか、面ファスナーやクリップの係脱操作による簡単な作業で、ヘルメットに被せ、または、ヘルメットから取り外すことができる。
従って、本考案のヘルメットカバーを装着した使用時と、ヘルメットカバーを外したヘルメット単体での使用時の切り替え使用ができる。また、ヘルメット表面の使用者等の社名や商標に影響を与えることがなく、美観の点でも優れている。
ヘルメットやヘルメットカバーが損傷したり汚れた時には、ヘルメット又はヘルメットカバーの交換を容易にでき、経済的である。
【００２２】
以上のように、本考案は、工事現場、交通整理員、或いは、自転車やバイクなどの運転者用ヘルメットのヘルメットカバーとして最適であり、実用上優れた多数の効果が得られる。
【図面の簡単な説明】
【００２３】
【図１】本考案にかかるヘルメットカバーの使用状態の側面図である。
【図２】同使用状態の底面図である。
【図３】同使用状態の平面図である。
【図４】同ヘルメットカバーの生地シートの一例の拡大断面図である。
【考案を実施するための形態】
【００２４】
以下、本考案を適用した実施の形態例を図１〜図４を参照して説明する。
【００２５】
本考案に係るヘルメットカバー１は、生地シート３がヘルメット１０を被覆するように略半球状に縫製され、開口部に沿って伸縮性紐が挿入された拡縮部２が形成されている。
【００２６】
ヘルメットカバー１は、カバー全体の生地が、光反射性の非伸縮性シート３により形成されている。
【００２７】
シート３は、合成樹脂繊維による基布３ａの表面に、一例として、微細なガラスビーズ層による全面反射層３ｂが形成されている。
【００２８】
このような、実施形態に係る本考案のヘルメットカバー１は、ヘルメット１０への装着使用状態において、カバーの全方向に光反射特性がある。
また、カバー開口縁の拡縮部２を拡縮操作するだけの簡単な作業で、ヘルメット１０に被せ、または、ヘルメット１０から取り外すことができる。
ヘルメット１０は、本考案に係るヘルメットカバー１を被せた状態でも、ヘルメットカバー１を取り外した状態でも使用できる。
【００２９】
ヘルメットカバー１の生地に防水被膜処理を施すことにより、水に濡れた場合でも、反射効率が落ちるということがない。
【符号の説明】
【００３０】
１  ヘルメットカバー
２  拡縮部
３  シート
３ａ  基布
３ｂ  全面反射層
１０  ヘルメット
【図１】
0003177265.tif 000003
【図２】
0003177265.tif 000004
【図３】
0003177265.tif 000005
【図４】
0003177265.tif 000006